(57)【要約】【課題】高さ方向における小型化を実現する局部洗浄ユニットを提供する【解決手段】局部洗浄ユニット１は、液体を噴出可能なノズル２０と、前記ノズル２０を進退移動可能に支持するセンタープレート１０と、一端部が前記ノズル２０に接続され、他端部が液体供給源６０に接続されるホース３０と、前記ノズル２０に連結されるフレキシブルラック４０と、前記フレキシブルラック４０に噛み合う歯車と、前記歯車を回転させる駆動源と、を有し、前記ノズルを進退移動させる駆動部７０と、を備え、前記ホース３０は、前記ノズル２０の幅方向Ｘにおける前記センタープレート１０の一方に配置され、前記フレキシブルラック４０は、前記幅方向Ｘにおける前記センタープレート１０の他方に配置される。【選択図】  図１
2018087459.tif 000002
【特許請求の範囲】
【請求項１】
液体を噴出可能なノズルと、
前記ノズルを進退移動可能に支持するセンタープレートと、
一端部が前記ノズルに接続され、他端部が液体供給源に接続されるホースと、
前記ノズルに連結されるフレキシブルラックと、
前記フレキシブルラックに噛み合う歯車と、前記歯車を回転させる駆動源と、を有し、前記ノズルを進退移動させる駆動部と、を備え、
前記ホースは、前記ノズルの幅方向における前記センタープレートの一方に配置され、
前記フレキシブルラックは、前記幅方向における前記センタープレートの他方に配置される
局部洗浄ユニット。
【請求項２】
前記液体供給源として、前記ホースに供給する前記液体の流量を調整する流量調整バルブをさらに備え、
前記流量調整バルブは、前記ノズルにおける前記ホースとの接続部位よりも鉛直下方に配置され、
前記ホースは、前記幅方向に直交する平面に沿って湾曲して前記ノズル及び前記流量調整バルブに接続され、
前記ノズルが後退している場合の前記幅方向における平面視において、前記駆動部は、前記ノズルと前記ホースとで区画される領域の内側に配置される
請求項１に記載の局部洗浄ユニット。
【請求項３】
前記駆動部を支持するサイドプレートをさらに備え、
前記センタープレートは、前記サイドプレートを固定する固定部を前記幅方向における両側に有する
請求項１又は２に記載の局部洗浄ユニット。
【請求項４】
前記フレキシブルラックは、前記幅方向において、前記センタープレート及び前記サイドプレートに挟持される
請求項３に記載の局部洗浄ユニット。
【発明の詳細な説明】
【技術分野】
【０００１】
本発明は、局部洗浄ユニットに関する。
【背景技術】
【０００２】
従来から、局部洗浄ユニットを小型化する手法として、特許文献１に記載のものがある。特許文献１には、洗浄水を噴出するノズルと、当該ノズルに洗浄水を供給するホースと、ノズルに連結され、モータの駆動をノズルに伝えることによってノズルを進退移動させるフレキシブルラックと、を備える局部洗浄ユニットが開示されている。
【先行技術文献】
【特許文献】
【０００３】
【特許文献１】特開２０１４−２２１９９５号公報
【発明の概要】
【発明が解決しようとする課題】
【０００４】
ところで、上記のような局部洗浄ユニットでは、湾曲させたホースの湾の外側にフレキシブルラックを配置しているため、局部洗浄ユニットの高さが高くなりやすい。したがって、上記のような局部洗浄ユニットでは、高さを抑制する点について改善の余地が残されている。
【０００５】
本発明は、こうした実情に鑑みてなされたものである。その目的は、高さ方向における小型化を実現する局部洗浄ユニットを提供することである。
【課題を解決するための手段】
【０００６】
上記課題を解決する局部洗浄ユニットは、液体を噴出可能なノズルと、前記ノズルを進退移動可能に支持するセンタープレートと、一端部が前記ノズルに接続され、他端部が液体供給源に接続されるホースと、前記ノズルに連結されるフレキシブルラックと、前記フレキシブルラックに噛み合う歯車と、前記歯車を回転させる駆動源と、を有し、前記ノズルを進退移動させる駆動部と、を備え、前記ホースは、前記ノズルの幅方向における前記センタープレートの一方に配置され、前記フレキシブルラックは、前記幅方向における前記センタープレートの他方に配置される。
【０００７】
上記構成によれば、局部洗浄ユニットは、ホースとフレキシブルラックを、センタープレートを挟んで配置することによって、ホースとフレキシブルラックが干渉しない。また、ホースとフレキシブルラックを、センタープレートを挟んで配置することによって、ホース及びフレキシブルラックが幅方向から見て重なるように配置することができる。これによって、幅方向から見て、ホースの外側にフレキシブルラックを配置しなくてよくなるため、局部洗浄ユニットの高さを抑えることができる。したがって、高さ方向における小型化を実現することができる。
【０００８】
また、上記局部洗浄ユニットは、前記液体供給源として、前記ホースに供給する前記液体の流量を調整する流量調整バルブをさらに備え、前記流量調整バルブは、前記ノズルにおける前記ホースとの接続部位よりも鉛直下方に配置され、前記ホースは、前記幅方向に直交する平面に沿って湾曲して前記ノズル及び前記流量調整バルブに接続され、前記ノズルが後退している場合の前記幅方向における平面視において、前記駆動部は、前記ノズルと前記ホースとで区画される領域の内側に配置されることが好ましい。
【０００９】
上記構成によれば、ノズルが後退している状態において、幅方向から見て、ノズル及びホースの内側に駆動源が設けられる。このため、局部洗浄ユニットの高さが、駆動源によってノズル及びホースより高くなることを防ぐことができる。したがって、局部洗浄ユニットを、高さ方向においてさらに小型化することができる。
【００１０】
また、上記局部洗浄ユニットは、前記駆動部を支持するサイドプレートをさらに備え、前記センタープレートは、前記サイドプレートを固定する固定部を前記幅方向における両側に有することが好ましい。
【００１１】
上記構成によれば、駆動部をセンタープレートの幅方向両側に取り付けることができるため、局部洗浄ユニットの設置環境に応じて駆動部の位置を変更することができる。これによって、設置環境に対して最適な形状にすることができる。
【００１２】
また、前記フレキシブルラックは、前記幅方向において、前記センタープレート及び前記サイドプレートに挟持されることが好ましい。
【００１３】
上記構成によれば、フレキシブルラックが幅方向にずれてしまい、正しく駆動部の駆動力がノズルに伝わらなくなることを抑制することができる。
【図面の簡単な説明】
【００１４】
【図１】一実施形態に係る局部洗浄ユニットが適用された便座の斜視図。
【図２】上記局部洗浄ユニットの前方斜視図。
【図３】上記局部洗浄ユニットにおける後方斜視図。
【図４】上記局部洗浄ユニットの第１局部洗浄部における分解斜視図。
【図５】上記局部洗浄ユニットにおけるセンタープレートの第１端側から見た側面図。
【図６】上記局部洗浄ユニットにおけるノズルの背面図。
【図７】上記局部洗浄ユニットの第１局部洗浄部における第２端側から見た側面図。
【図８】上記局部洗浄ユニットの第１局部洗浄部におけるサイドプレート、流量調整バルブ及び駆動部を除いた状態の第１端側から見た側面図。
【図９】上記局部洗浄ユニットの第１局部洗浄部における流量調整バルブ及び駆動部を除いた状態の第１端側から見た側面図。
【図１０】上記局部洗浄ユニットの第１局部洗浄部における第１端側から見た側面図。
【図１１】上記局部洗浄ユニットの第１局部洗浄部におけるノズルが前方に移動した状態の第１端側から見た側面図。
【図１２】上記局部洗浄ユニットの第１局部洗浄部におけるノズルが前方に移動した状態の第２端側から見た側面図。
【図１３】上記局部洗浄ユニットの第２局部洗浄部における前方斜視図。
【図１４】上記局部洗浄ユニットの第２局部洗浄部における後方斜視図。
【発明を実施するための形態】
【００１５】
以下、局部洗浄ユニットの一実施形態について図面を参照しつつ説明する。
【００１６】
図１に示すように、局部洗浄装置は、使用者が着座する便座と、当該便座を覆うことができる便蓋と、便座の中央へ向けて洗浄水を噴出させるノズルを進出させる局部洗浄ユニット１と、を備えている。
【００１７】
図２及び図３に示すように、局部洗浄ユニット１は、第１局部洗浄部２と、第２局部洗浄部３と、を備えている。第１局部洗浄部２及び第２局部洗浄部３は、局部洗浄ユニット１の幅方向に並んで配置される。
【００１８】
なお、以降の説明では、局部洗浄ユニット１の幅方向を「幅方向Ｘ」とも言い、局部洗浄ユニット１の高さ方向を「高さ方向Ｙ」とも言い、幅方向Ｘ及び高さ方向Ｙに直交する方向を「前後方向Ｚ」とも言う。なお、高さ方向Ｙは重力方向であってもよい。また、幅方向Ｘにおける第１局部洗浄部２が配置される側を「第１端側Ｘ１」とも言い、幅方向Ｘにおける第２局部洗浄部３が配置される側を「第２端側Ｘ２」とも言う。
【００１９】
図４に示すように、第１局部洗浄部２は、ベース部分を構成するセンタープレート１０、洗浄水を噴出可能なノズル２０、当該ノズル２０に洗浄水を供給するホース３０、ノズル２０に連結されるフレキシブルラック４０、センタープレート１０の幅方向Ｘにおける片側に取り付けられるサイドプレート５０、ホース３０に供給する洗浄水の流量を調整する流量調整バルブ６０（液体供給源の一例）、フレキシブルラック４０を移動させる駆動部７０及びフレキシブルラック４０を上方向で規制するアッパーカバー８０を備える。
【００２０】
図５に示すように、センタープレート１０は、幅方向Ｘと直交する高さ方向Ｙに延びる立設板１１と、立設板１１の上方に設けられるノズルガイド１２と、立設板１１の下部から後部上方に向けて設けられるガイド１３と、を有している。
【００２１】
図５に示すように、立設板１１は、サイドプレート５０がねじで固定されるボス部１１０（固定部の一例）を有する。ボス部１１０は、立設板１１の幅方向Ｘにおける両側に間隔をおいて２つずつ設けられる。また、ボス部１１０は、センタープレート１０の幅方向Ｘにおける両側に左右対称になるように設けられる。これによって、サイドプレート５０をセンタープレート１０の幅方向Ｘにおける両側に取り付けることができる。
【００２２】
図３に示すように、立設板１１は、当該立設板１１の後部から後方に突出する突出部１１１を有する。突出部１１１は、板状をなしている。突出部１１１は、高さ方向Ｙに形成された孔を有する。さらに、立設板１１は、流量調整バルブ６０を配置するための開口部１１２を有する。
【００２３】
図５に示すように、立設板１１は、アッパーカバー８０を取り付けるための挿入孔１１３を有する。挿入孔１１３は、立設板１１の上端の後部に、幅方向Ｘに貫通形成されている。
【００２４】
図５に示すように、ノズルガイド１２は、円筒状をなす円筒部１２０と、板状をなす載置部１２１と、を備えている。円筒部１２０は、立設板１１の前方下部に設けられる。円筒部１２０には、中央の空間に挿入されるようにしてノズル２０が配置される。これによって、センタープレート１０からのノズル２０の脱落を抑制することができる。
【００２５】
また、載置部１２１は、ノズルガイド１２の下部から立設板１１に沿って設けられる。載置部１２１は、板状をなしており、立設板１１と直交するようにして幅方向Ｘの外側に向かって延設されている。これによって、センタープレート１０からのノズル２０の脱落を抑制することができる。また、載置部１２１は、前方に向かうにつれて、鉛直下方に進むようにして設けられる。このとき、載置部１２１の前方に円筒部１２０が設けられる。
【００２６】
図４及び図５に示すように、ガイド１３は、立設板１１の幅方向Ｘにおける両側に設けられる。ガイド１３における第１端側Ｘ１を第１ガイド１３０、第２端側Ｘ２を第２ガイド１３１とする。ガイド１３は、板状をなしている。ガイド１３は、立設板１１と直交するようにして幅方向Ｘの外側に向かって延設されている。ガイド１３は、立設板１１の下方から、後方に向かうにつれて湾曲しながら鉛直上方に進むようにして設けられる。
【００２７】
ノズル２０は、先端に噴射口（不図示）を有し、当該噴射口から液体、例えば洗浄水を上方に噴射する。図４に示すように、ノズル２０は、円柱状をなしている。ノズル２０は、円筒部１２０に挿入される。これによって、ノズル２０は、センタープレート１０に対して進退移動可能に支持されている。
【００２８】
図６に示すように、ノズル２０は、基端に接続部２１を有する。接続部２１は、ホース３０の一端に接続される。接続部２１は、ノズル２０の内部に設けられた流路によって、ノズル２０の噴射口につながっている。これによって、ホース３０から供給された洗浄水がノズル２０の噴射口から噴射される。
【００２９】
図６に示すように、ノズル２０は、載置部１２１と摺動する摺動部２２を有する。摺動部２２は、ノズル２０の基端側下方に設けられる。摺動部２２は、ノズル２０が進退移動する方向から見て逆Ｕ字状をなしている。摺動部２２は、開口側が幅方向Ｘの内側になるように設けられている。また、摺動部２２は、ノズル２０の幅方向Ｘにおける両側に１つずつ設けられる。したがって、摺動部２２の開口部が、載置部１２１と直交する方向及び幅方向Ｘに載置部１２１を挟むようにノズル２０を配置することによって、ノズルガイド１２からのノズル２０の脱落を抑制することができる。
【００３０】
ホース３０は、ノズル２０に洗浄水を供給するための供給管である。図７に示すように、ホース３０は、センタープレート１０の第２端側Ｘ２に配置される。ホース３０は、変形可能な材料で形成されればよく、例えば、ゴム材料で形成されることが好ましい。ホース３０の一端部は、ノズル２０の接続部２１に接続されており、ホース３０の他端部は流量調整バルブ６０に接続される。
【００３１】
図８に示すように、フレキシブルラック４０は、弾性変形可能なラックである。フレキシブルラック４０は、センタープレート１０の第１端側Ｘ１に配置される。フレキシブルラック４０は、例えば、樹脂で形成されることが好ましい。フレキシブルラック４０は、ノズル２０の基端に連結されている。具体的には、フレキシブルラック４０は、ノズル２０の基端に圧入されている。フレキシブルラック４０は、片側に歯部４１を有する。フレキシブルラック４０は、歯部４１が内側を向くように湾曲した態様で配置される。
【００３２】
図４に示すように、サイドプレート５０は、センタープレート１０の立設板１１と対応する形状をなしている。具体的には、１つの角が丸く面取りされた略三角形状をなしている。サイドプレート５０は、幅方向Ｘのどちら側にも設けることができるが、本実施形態ではセンタープレート１０の第１端側Ｘ１に配置される。このとき、サイドプレート５０は、センタープレート１０とともにフレキシブルラック４０を幅方向Ｘにおいて挟持する。
【００３３】
図９に示すように、サイドプレート５０は、ねじが通る貫通孔５１、ねじを固定する固定孔５２、駆動部７０が挿通する挿通孔５３及びアッパーカバー８０を取り付けるための挿入孔５４を有する。貫通孔５１、固定孔５２、挿通孔５３及び挿入孔５４は、幅方向Ｘに貫通形成されている。貫通孔５１及び固定孔５２は、それぞれサイドプレート５０の前方下部に１つずつ設けられ、後方上部に１つずつ設けられている。挿通孔５３は、サイドプレート５０の後方上部に設けられた貫通孔５１及び固定孔５２の間に設けられている。挿入孔５４は、サイドプレート５０の上端の後部に設けられている。
【００３４】
また、サイドプレート５０は、センタープレート１０の立設板１１と同様に、流量調整バルブ６０を通すための切欠き部５５を有する。切欠き部５５は、サイドプレート５０の前方下部に設けられた貫通孔５１及び固定孔５２の間に設けられる。
【００３５】
図１０に示すように、流量調整バルブ６０は、ノズル２０の接続部２１よりも鉛直下方に配置される。流量調整バルブ６０は、センタープレート１０の立設板１１に設けられた開口部１１２及びサイドプレート５０に設けられた切欠き部５５を通って、幅方向Ｘに渡って設けられる。図４に示すように、流量調整バルブ６０は、洗浄水が流入される単一の流入口６１と、洗浄水を流出させる複数の流出口６２と、流量調整バルブ６０をサイドプレート５０に固定するブラケット６３を有する。
【００３６】
流入口６１は、不図示のタンクに接続され、流出口６２はホース３０に接続される。図１０に示すように、ブラケット６３は、センタープレート１０において、第１端側Ｘ１に設けられる。ブラケット６３は、２つ間隔をあけて設けられる。ブラケット６３には、幅方向Ｘに孔が貫通形成されている。
【００３７】
図７に示すように、ホース３０は、ノズル２０の接続部２１から、ノズル２０の長手方向に向かって延びた後、第２ガイド１３１の後方側と平行になるように下方向に湾曲する。そして、ホース３０は、第２ガイド１３１に沿って前方に湾曲した後、流量調整バルブ６０の流出部６２に接続される。したがって、ホース３０は、幅方向Ｘに直交する平面に沿ってノズル２０の接続部２１及び流量調整バルブ６０の流出部６２に接続される。
【００３８】
図４に示すように、駆動部７０は、駆動力を出力する駆動源７１と、フレキシブルラック４０の歯部４１と噛み合う出力歯車７２と、を有する。駆動源７１は、例えばモータである。図１０に示すように、駆動源７１は、当該駆動源７１の径方向外側に、流量調整バルブ６０と同様に、ブラケット７１０を２つ有する。ブラケット７１０には、駆動源７１の軸方向に孔が貫通形成されている。
【００３９】
出力歯車７２は、サイドプレート５０の挿通孔５３を通って、前後方向Ｚから見て、フレキシブルラック４０と重なるように設けられる。出力歯車７２は、駆動源７１の出力軸に設けられた歯車及びフレキシブルラック４０の歯部４１と噛み合う形状となっている。このため、出力歯車７２は、駆動源７１の出力軸の回転を当該出力軸に設けられた歯車から受けて回転し、出力歯車７２とフレキシブルラック４０の歯部４１が噛み合うことによって、フレキシブルラック４０が出力歯車７２の回転に合わせて移動する。これによって、駆動部７０は、ノズル２０を進退移動させる。
【００４０】
図４、図８、図９及び図１０に示すように、流量調整バルブ６０のブラケット６３及び駆動部７０の駆動源７１に設けられたブラケット７１０は、一方がサイドプレート５０の固定孔５２にねじで固定され、他方がサイドプレート５０の貫通孔５１を通ったねじによって、センタープレート１０のボス部１１０に固定される。これによって、サイドプレート５０はセンタープレート１０のボス部１１０に固定される。また、サイドプレート５０は、流量調整バルブ６０及び駆動源７１を支持する。
【００４１】
図４に示すように、アッパーカバー８０は、板状をなしており、幅方向Ｘに突出する複数の突部８１を有する。突部８１は、円柱状をなしている。図４に示すように、突部８１は、センタープレート１０に設けられた挿入孔１１３及びサイドプレート５０に設けられた挿入孔５４に挿入される。これによって、アッパーカバー８０は、センタープレート１０及びサイドプレート５０に挟持される。
【００４２】
このとき、フレキシブルラック４０の上部にアッパーカバー８０が設けられる。したがって、図８に示すように、フレキシブルラック４０は、幅方向Ｘから見て、ノズル２０の基端から伸びており、アッパーカバー８０に当たって湾曲し、そのままセンタープレート１０の第１ガイド１３０に沿って湾曲する。これによって、フレキシブルラック４０が上方向に飛び出すことが抑制される。
【００４３】
ここで、ホース３０もフレキシブルラック４０と同様に、第２ガイド１３１に沿って湾曲して配置される。このため、これによって、ホース３０及びフレキシブルラック４０は、幅方向Ｘから見て、重なるようにして配置される。
【００４４】
また、駆動部７０は、幅方向Ｘにおける平面視において、フレキシブルラック４０の湾曲している部分の内側に配置される。また、ノズル２０は、載置部１２１に沿って、前方に向かうにつれて、鉛直下方に進むようにして設けられる。このため、駆動部７０は、幅方向Ｘにおける平面視において、ノズル２０及びホース３０で区画される領域の内側に配置される。ここで言う、ノズル２０及びホース３０で区画される領域は、幅方向Ｘにおける平面視において、ノズル２０及びホース３０の外形で構成された曲線に囲まれた領域のことである。
【００４５】
次に、ノズル２０が進行及び退行するときの第１局部洗浄部２について説明する。
【００４６】
駆動源７１が正転すると、出力歯車７２の回転によってフレキシブルラック４０が移動し、ノズル２０が進行方向へ移動する。それに従い、フレキシブルラック４０及びホース３０がノズル２０の進行方向へ移動する。このとき、ホース３０が流量調整バルブ６０の流出口６２に接続されているため、ホース３０は、まずノズル２０の延長線上に伸びていた部分の湾曲する部分が下方へ移動し、その後、センタープレート１０の第２ガイド１３１から離れる。そして、図１１及び図１２に示すように、ホース３０は、センタープレート１０の載置部１２１の後端から流量調整バルブ６０の流出口６２に向かって湾曲する。
【００４７】
駆動源７１が逆転すると、出力歯車７２の回転によってフレキシブルラック４０が移動し、ノズル２０が退行方向へ移動する。それに従い、フレキシブルラック４０及びホース３０がノズル２０の退行方向へ移動する。このとき、ホース３０が流量調整バルブ６０の流出口６２に接続されているため、ホース３０は、まずセンタープレート１０の第２ガイド１３１に当接し、その後、ノズル２０の延長線上に伸びていた部分の湾曲する部分が上方に移動する。そして、図７に示すように、ホース３０は、センタープレート１０の載置部１２１の後端から流量調整バルブ６０の流出口６２に向かって湾曲する。
【００４８】
次に、第２局部洗浄部３の構成について説明する。なお、第２局部洗浄部３は、第１局部洗浄部２と共通する構成を多く備えるため、同一の構成部材については、同一の符号を付すなどして、説明を省略又は簡略する。
【００４９】
図３、図１３及び図１４に示すように、第２局部洗浄部３は、センタープレート１０、ノズル２０、ホース３０、フレキシブルラック４０、サイドプレート５０、駆動部７０及びアッパーカバー８０を有する。ホース３０、フレキシブルラック４０、サイドプレート５０及び駆動部７０は、センタープレート１０に対して、第１局部洗浄部２と幅方向Ｘで反対になるように設けられる。具体的には、第２局部洗浄部３において、ホース３０は、センタープレート１０の第１端側Ｘ１に設けられ、フレキシブルラック４０、サイドプレート５０及び駆動部７０は、センタープレート１０の第２端側Ｘ２に設けられる。
【００５０】
このとき、センタープレート１０の立設板１１は、幅方向Ｘにおける両側にボス部１１０を有するため、第１局部洗浄部２と第２局部洗浄部３は、同じセンタープレート１０を利用することができる。
【００５１】
なお、本実施形態の流量調整バルブ６０は、第１局部洗浄部２に洗浄水を供給する流出口６２に加えて、第２局部洗浄部３に洗浄水を供給する流出口６２を備えている。このため、第２局部洗浄部３のノズル２０に洗浄水を供給するための流量調整バルブ６０を別途に設ける必要がない。
【００５２】
次に、局部洗浄ユニット１の構成について説明する。
【００５３】
図２及び図３に示すように、局部洗浄ユニット１は、第１局部洗浄部２と、第２局部洗浄部３が幅方向Ｘに並んで設けられることによって構成されている。このとき、第１局部洗浄部２及び第２局部洗浄部３を、当該第１局部洗浄部２及び当該第２局部洗浄部３のサイドプレート５０が幅方向Ｘで外側に設けられるように配置する。
【００５４】
図３に示すように、第１局部洗浄部２及び第２局部洗浄部３は、それぞれの突出部１１１を連結する連結部９０によって連結される。連結部９０は、柱状をなしている。連結部９０は、第１局部洗浄部２及び第２局部洗浄部３を幅方向Ｘに並べたときのそれぞれの突出部１１１の距離と等しい距離に設けられた連結孔を２つ有する。連結孔は、鉛直下方に設けられる。第１局部洗浄部２及び第２局部洗浄部３は、突出部１１１を連結部９０の連結孔にねじで固定することによって連結される。
【００５５】
また、局部洗浄ユニット１は、第１局部洗浄部２又は第２局部洗浄部３のどちらかのみで構成されていてもよい。ただし、第２局部洗浄部３を単体で用いる場合、第２局部洗浄部３は、流量調整バルブ６０を備える。局部洗浄ユニット１を第１局部洗浄部２又は第２局部洗浄部３のどちらかのみで構成することによって、ノズル２０が１つのみでよい場合に、幅方向Ｘにおいて小型化することができる。
【００５６】
上述した実施形態によれば、以下に示す効果を得ることができる。
【００５７】
（１）局部洗浄ユニット１における第１局部洗浄部２は、ホース３０とフレキシブルラック４０を、センタープレート１０を挟んで配置することによって、ホース３０とフレキシブルラック４０が干渉しない。また、ホース３０とフレキシブルラック４０を、センタープレート１０を挟んで配置することによって、ホース３０及びフレキシブルラック４０が幅方向Ｘから見て重なるように配置することができる。これによって、幅方向Ｘから見て、ホース３０の外側にフレキシブルラック４０を配置しなくてよくなるため、第１局部洗浄ユニット１の高さを抑えることができる。したがって、局部洗浄ユニット１の高さ方向Ｙにおける小型化を実現することができる。
【００５８】
（２）ノズル２０が後退している状態において、幅方向Ｘから見て、ノズル２０及びホース３０の内側に駆動部７０が配置される。このため、局部洗浄ユニット１の高さが、駆動部７０によってノズル２０及びホース３０より高くなることを防ぐことができる。したがって、局部洗浄ユニット１を、高さ方向Ｙにおいてさらに小型化することができる。
【００５９】
（３）センタープレート１０の立設板１１は、幅方向Ｘにおける両側にボス部１１０を有するため、駆動部７０をセンタープレート１０の幅方向Ｘにおける両側に取り付けることができる。このため、ノズル２０が１つのみでよい場合、局部洗浄ユニット１の設置環境に応じて駆動部７０の取り付け位置を変更することができる。これによって、ノズル２０が１つのみでよい場合、局部洗浄ユニット１を、設置環境に対して最適な形状にすることができる。
【００６０】
（４）フレキシブルラック４０が、幅方向Ｘにおいて、センタープレート１０とサイドプレート５０とで挟み込まれることによって、フレキシブルラック４０が幅方向Ｘにずれてしまうことを抑制することができる。これによって、正しく駆動部７０の駆動力がノズル２０に伝わらなくなることを抑制することができる。
【００６１】
以下に、上述した実施形態の別の実施形態を説明する。
【００６２】
また、局部洗浄ユニット１にサイドプレート５０やアッパーカバー８０を設けなくてもよい。例えば、センタープレート１０は、サイドプレート５０及びアッパーカバー８０と同等のものと一体になっていてもよいし、サイドプレート５０とアッパーカバー８０が一体になっていてもよい。また、ガイド１３の範囲を広げることによってアッパーカバー８０の代わりにしてもよい。局部洗浄ユニット１は、サイドプレート５０と同等の機能の部材を有していなくてもよい。さらに、フレキシブルラック４０を延長することによって、常にガイド１３にフレキシブルラック４０が接するようにすることで、アッパーカバー８０を除いた構成としてもよい。これによって、取り付けの手間を低減することができる。
【００６３】
また、センタープレート１０は、突出部１１１を有していなくてもよい。これによって、局部洗浄ユニット１を第１局部洗浄部２又は第２局部洗浄部３のどちらかのみで構成する場合に、局部洗浄ユニット１を前後方向Ｚに対して小型化することができる。
【００６４】
また、駆動部７０は、ノズル２０が後退している状態において、ホース３０の流路の内側に設けられていなくてもよい。例えば、駆動部７０がホース３０の流路の上側に設けられていてもよい。これによって、局部洗浄ユニット１を幅方向Ｘにおいて小型化することができる。
【００６５】
また、流量調整バルブ６０は、ノズル２０が後退している状態において、ノズル２０の接続部２１の鉛直下方に設けられていなくてもよい。例えば、流量調整バルブ６０は、当該流量調整バルブ６０の長手方向が前後方向Ｚになるように設けられていてもよい。これによって、局部洗浄ユニット１を第１局部洗浄部２又は第２局部洗浄部３のどちらかのみで構成する場合に、幅方向Ｘにおいて小型化することができる。
【００６６】
また、ホース３０は、ノズル２０が後退している状態において、流路が湾曲していなくてもよい。例えば、ホース３０が直線状に設けられ、ノズル２０の進退移動に従ってホース３０が前後に動くようになっていてもよい。これによって、局部洗浄ユニット１を幅方向Ｘに対して小型化することができる。
【００６７】
また、センタープレート１０は、ボス部１１０を有していなくてもよい。例えば、流量調整バルブ６０又は駆動部７０がセンタープレート１０に締り嵌め等で取り付けられていてもよい。これによって、ねじを使う必要が無くなるため、部品点数を減らすことができる。
【００６８】
また、ホース３０は、ノズル２０の基端以外に接続されていてもよい。例えば、ノズル２０に垂直に接続されていてもよい。
【００６９】
また、流量調整バルブ６０及び駆動部７０は、サイドプレート５０に対して固定されず、センタープレート１０にのみ固定されていてもよい。一方で、流量調整バルブ６０及び駆動源７０は、サイドプレート５０にのみ固定されていてもよい。この場合、サイドプレート５０がセンタープレート１０に固定されることによって、流量調整バルブ６０及び駆動部７０は、間接的にセンタープレート１０に固定される。
【００７０】
また、センタープレート１０及びサイドプレート５０の両方に必ず固定されるようにしてもよい。つまり、固定孔５２の代わりに貫通孔５１を増やし、当該貫通孔５１に対応するボス部１１０をセンタープレート１０に増やすようにしてもよい。
【００７１】
また、載置部１２１を設けなくてもよい。例えば、円筒部１２０を載置部１２１が設けられていた範囲に前後方向Ｚで延長することによって、ノズル２０のセンタープレート１０からの離脱を抑制するようにしてもよい。これによって、摺動部２２が不要になるため、ノズル２０の成形が容易になる。
【００７２】
また、ボス部１１０は、センタープレート１０の片側のみに設けられていてもよい。これによって、センタープレート１０の形状が簡単になるため、センタープレート１０の成形が容易になる。
【００７３】
また、フレキシブルラック４０は、ノズル２０に圧入以外の方法で連結されていてもよい。例えば、ねじ等によって固定されていてもよいし、ノズル２０及びフレキシブルラック４０に同じ材料を用いて一体成型してもよい。
【００７４】
また、ホース３０が、ノズル２０の接続部２１からノズル２０の長手方向に向かって延びた後、第２ガイド１３１の後方側と平行になるように下方向に湾曲するまでの長さをより長くしてもよい。これによって、ノズル２０を便座の中央へ進行させることができる距離を延ばすことができる。
【００７５】
また、ノズル２０に複数のホース３０を接続するようにしてもよい。例えば、洗浄水を供給するホース３０を変更することによって洗浄水が噴射される噴射口を変更するようにしてもよいし、一度に複数の噴射口から洗浄水を噴射するようにしてもよい。これによって、洗浄水の勢いや噴射状態を変更することができる。
【符号の説明】
【００７６】
１：局部洗浄ユニット
２：第１局部洗浄部
３：第２局部洗浄部
１０：センタープレート
１１：立設板
１１０：ボス部
１１１：突出部
１１２：開口部
１１３：挿入孔
１２：ノズルガイド
１２０：円筒部
１２１：載置部
１３：ガイド
１３０：第１ガイド
１３１：第２ガイド
２０：ノズル
２１：接続部
２２：摺動部
３０：ホース
４０：フレキシブルラック
４１：歯部
５０：サイドプレート
５１：貫通孔
５２：固定孔
５３：挿通孔
５４：挿入孔
５５：切欠き部
６０：流量調整バルブ
６１：流入口
６２：流出口
６３：ブラケット
７０：駆動部
７１：駆動源
７１０：ブラケット
７２：出力歯車
８０：アッパーカバー
８１：突部
９０：連結部
【図１】
2018087459.tif 000003
【図２】
2018087459.tif 000004
【図３】
2018087459.tif 000005
【図４】
2018087459.tif 000006
【図５】
2018087459.tif 000007
【図６】
2018087459.tif 000008
【図７】
2018087459.tif 000009
【図８】
2018087459.tif 000010
【図９】
2018087459.tif 000011
【図１０】
2018087459.tif 000012
【図１１】
2018087459.tif 000013
【図１２】
2018087459.tif 000014
【図１３】
2018087459.tif 000015
【図１４】
2018087459.tif 000016